(57)【要約】　　　（修正有）【課題】簡単な構成で、かつ、確実にイジェクトを行うことができるディスク装置及びピックアップ駆動方法を提供する。【解決手段】ディスクの半径方向にピックアップ（２４）を移動させるピックアップ駆動手段（２５）は、ピックアップ（２４）が最外周又は最内周側に移動したときに、ピックアップ（２４）に係合し、ピックアップ（２４）が内周又は外周側に移動することによって、イジェクトロックを解除し、ディスクトレイをイジェクトさせる。イジェクトボタン（２７）によりイジェクト機構（２６）を駆動する指示が行われたときに、ピックアップ（２４）を最内周又は最外周に移動させた後、ピックアップ（２４）を低速で外周又は内周に移動させ後、最外周又は最内周まで移動させ、再び内周又は外周側に移動させるように、ピックアップ駆動手段（２５）を制御する。【選択図】　図２
2004127365.tif 000002
【特許請求の範囲】
【請求項１】
ディスクが載置されるディスクトレイと、
前記ディスクに光ビームを入射させるピックアップと、
前記ディスクの半径方向に前記ピックアップを移動させるピックアップ駆動手段と、
前記ピックアップが最外周又は最内周側に移動したときに、前記ピックアップに係合し、前記ピックアップが内周又は外周側に移動することによって、イジェクトロックを解除し、前記ディスクトレイをイジェクトさせるイジェクト機構と、
前記イジェクト機構にイジェクト指示を行うイジェクトボタンと、
前記イジェクトボタンにより前記イジェクト機構を駆動する指示が行われたときに、前記ピックアップを最内周又は最外周に移動させた後、前記ピックアップを低速で外周又は内周に移動させ後、最外周又は最内周まで移動させ、再び内周又は外周側に移動させるように、前記ピックアップ駆動手段を制御する制御手段とを有することを特徴とするディスク装置。
【請求項２】
前記制御手段は、前記ピックアップを最内周又は最外周から外周又は内周側に移動させるとき、前記ピックアップ駆動手段を低い電圧で僅かに駆動した後、外周又は内周方向に駆動することを特徴とする請求項１記載のディスク装置。
【請求項３】
ディスクが載置されるディスクトレイをイジェクトさせる指示が行われたときに、前記ディスクの半径方向に移動可能とされたピックアップを最内周又は最外周に移動させる第１手順と、
前記第１手順で前記ピックアップが前記最内周又は最外周に移動された後、前記ピックアップを低速で外周又は内周に移動させ最外周又は最内周まで移動させ、前記ピックアップをイジェクト機構に係合させる第２手順と、
前記第２手順で前記ピックアップが前記イジェクト機構に係合された後、前記ピックアップを再び内周又は外周側に移動させ、イジェクトロックを解除させる第３手順とを有することを特徴とするピックアップ駆動方法。
【請求項４】
前記第２手順は、前記ピックアップを最内周又は最外周から外周又は内周側に移動させるとき、前記ピックアップを駆動するアクチュエータを低い電圧で僅かに駆動した後、外周又は内周方向に駆動することを特徴とする請求項３記載のピックアップ駆動方法。
【発明の詳細な説明】
【０００１】
【発明の属する技術分野】
本発明はディスク装置及びピックアップ駆動方法に係り、特に、ピックアップの移動に応じてイジェクトレベーを解除するディスク装置及びピックアップ駆動方法に関する。
【０００２】
【従来の技術】
ＣＤ−ＲＯＭ、ＣＤ−Ｒ、ＣＤ−ＲＷ、及び、ＤＶＤ−ＲＯＭ、ＤＶＤ−Ｒ、ＤＶＤ−ＲＷなどのディスク装置は、大容量の可換式記憶装置としてコンピュータに搭載されている。一方、ノート型パーソナルコンピュータには、薄型化、及び、小型化が望まれており、これに伴い、ノート型パーソナルコンピュータに搭載するディスク装置にも薄型化、及び、小型化が望まれている。
【０００３】
ノート型パーソナルコンピュータのディスク装置は、薄型化、及び、小型化、さらには、省電力化のためにディスクトレイを装置本体から排出するイジェクト機構が簡略化されている。ディスク装置は、ディスクトレイを装置本体にバネに抗して挿入し、ディスクトレイが装置本体に完全に挿入された状態で、ロック機構によりロックされる構成とされている。イジェクト機構は、ディスクトレイと装置本体とのロックを外す機構であり、ディスクトレイと装置本体とのロックを外すことによりバネ力によりディスクトレイが装置本体から飛び出す構成とされている。このとき、従来は専用のアクチュエータによりロックを解除する構成とされていた。従来上記構成のディスク装置が知られていた。しかしながら、上記の構成のディスク装置については技術文献は発見できなかった。
【０００４】
また、従来、装着されたディスクをシャーシ内のディスク装着位置と、シャーシから前方に引き出されたディスク交換位置との間で移動可能な構成とされたトレーと、トレーに配設されており、トレーがディスク装着位置に挿入された際、シャーシに形成されたロック部に係合しトレーの移動をロックするロック部材と、駆動軸がロック部材と接続されており、ロック解除時に駆動軸を駆動してロック部材を操作し、ロック部材とロック部との係合を解除するソレノイドとを具備するディスク装置が知られていた（例えば、特許文献１。）。
【０００５】
【特許文献１】
特開平９−４４９５５号公報（段落番号〔００１５〕、図１０）
【０００６】
【発明が解決しようとする課題】
しかるに、従来、この種のディスク装置は、イジェクト用アクチュエータによりロック解除することによりディスクトレイをイジェクトする構成とされているため、イジェクト用アクチュエータ及び駆動回路が必要となり、小型化、薄型化の妨げとなっていた。
【０００７】
本発明は上記の点に鑑みてなされたもので、簡単な構成で、かつ、確実にイジェクトを行うことができるディスク装置及びピックアップ駆動方法を提供することを目的とする。
【０００８】
【課題を解決するための手段】
本発明の請求項１は、ディスク（１３）が載置されるディスクトレイ（２１）と、ディスク（１３）に光ビームを入射させるピックアップ（２４）と、ディスク（１３）の半径方向にピックアップ（２４）を移動させるピックアップ駆動手段（２５）と、ピックアップ（２４）が最外周又は最内周側に移動したときに、ピックアップ（２４）に係合し、ピックアップ（２４）が内周又は外周側に移動することによって、イジェクトロックを解除し、ディスクトレイ（２１）をイジェクトさせるイジェクト機構（２６）と、イジェクト機構（２６）にイジェクト指示を行うイジェクトボタン（２７）と、イジェクトボタン（２７）によりイジェクト機構（２６）を駆動する指示が行われたときに、ピックアップ（２４）を最内周又は最外周に移動させた後、ピックアップ（２４）を低速で外周又は内周に移動させ後、最外周又は最内周まで移動させ、再び内周又は外周側に移動させるように、ピックアップ駆動手段（２５）を制御する制御手段（３４）とを有することを特徴とする。
【０００９】
また、本発明の請求項２は、制御手段（３４）により、ピックアップ（２４）を最内周から外周側に移動させるとき、ピックアップ駆動手段（２５）を低い電圧で僅かに駆動した後、外周方向に駆動することを特徴とする。
【００１０】
本発明によれば、ピックアップ（２４）が最内周又は最外周から外周又は内周方向に移動したときにイジェクトを行うディスク装置においてイジェクト時にピックアップ（２４）を最内周又は最外周に移動させた後、ピックアップ（２４）を低速で外周又は内周に移動させ後、最外周又は最内周まで移動させ、再び内周又は外周側に移動させることにより、アクチュエータ（２５）を反転させてイジェクト動作を行うことができるため、減速機構などの動作をスムーズに行うことができる。
【００１１】
また、イジェクト機構に係合した後、ピックアップ（２４）を低速で移動させることにより、イジェクト動作を確実に行うことができる。
【００１２】
なお、上記参照符号は参考であり、本願発明は上記参照符号により限定されるものではない。
【００１３】
【発明の実施の形態】
図１は本発明の一実施例の斜視図、図２は本発明の一実施例のブロック構成図を示す。
【００１４】
本実施例のディスク装置１は、ノート型パーソナルコンピュータのドライブベイなどに装着脱可能とされたＣＤ−ＲＯＭ、ＣＤ−Ｒ、ＣＤ−ＲＷ、及び、ＤＶＤ−ＲＯＭ、ＤＶＤ−Ｒ、ＤＶＤ−ＲＷなどの光ディスク装置であり、主に、ディスクトレイ部１１、装置本体１２から構成される。
【００１５】
ディスクトレイ部１１は、ディスクトレイ２１、ターンテーブル２２、スピンドルモータ２３、ピックアップ２４、アクチュエータ２５、イジェクト機構２６、イジェクトボタン２７を含む構成とされている。
【００１６】
ディスクトレイ２１には、その中心部にターンテーブル２２が延出している。ターンテーブル２２は、ディスク１３の中心孔１３ａと係合する。ターンテーブル２２は、スピンドルモータ２３の回転軸に固定されており、スピンドルモータ２３の回転に応じて回転する。よって、ディスク１３は、ターンテーブル２２に装着されたときに、スピンドルモータ２３の回転に応じて回転する。
【００１７】
ピックアップ２４は、ディスクトレイ２１の下部に配置され、ディスクトレイ２１に形成されたガイド孔２１ａから表面に表出している。また、ピックアップ２４は、ディスクトレイ２１の下部に設けられたアクチュエータ２５によりディスク１３の半径方向、矢印Ａ方向に移動可能とされている。
【００１８】
ピックアップ２４は、レーザダイオード、光学系、フォトディテクタを内蔵しており、レーザダイオードで発光したレーザビームを光学系によりディスクに照射し、ディスクからの反射光を光学系によりフォトディテクタに入射させ、再生信号を取得する。なお、再生信号は、ピックアップ２４に内蔵されたアンプ２８により増幅された装置本体１２に供給される。
【００１９】
イジェクト機構２６は、ディスクトレイ部１１と装置本体１２とのイジェクトロックを解除する機構であり、ピックアップ２４が最外周に移動したときに、ピックアップ２４と係合し、ピックアップ２４と係合した後、ピックアップ２４が内周側に移動することによって、ディスクトレイ部１１と装置本体１２とのロックを解除する。イジェクトボタン２７は、ディスクトレイ２１の全面パネル２９に取付けられており、押下されると、制御回路１６にイジェクト指示を行う。
【００２０】
装置本体１２には、ディスクトレイ部１１が引き出し可能に保持されている。ディスクトレイ部１１は、装置本体１２に所定の弾性力に抗して押し込まれ、ロックがかかり、装置本体１２内に収納される。また、ディスクトレイ部１１は、イジェクト機構２６によりロックが解除されることにより装置本体１２から所定の弾性力で引き出される。なお、ピックアップ２４は、通常の記録及び／又は再生時には、最外周まで到達し、イジェクト機構２６に係合することはなく、よって、記録及び／又は再生時にイジェクトが解除され、ディスクトレイ部１１が装置本体１２から引き出されるようなことはない。
【００２１】
装置本体１２には、制御回路基板１４が内蔵されている。制御回路基板１４には、信号処理回路３１、インタフェース回路３２、サーボ制御回路３３、マイコン３４、ドライバ３５〜３７、入出力ポート３８が搭載されている。
【００２２】
信号処理回路３１は、ピックアップ２４で再生された再生信号をデコードして再生データを得る。信号処理回路３１で再生された再生データはインタフェース回路３２に供給される。インタフェース回路３２は、パーソナルコンピュータとのインタフェースをとる。
【００２３】
サーボ制御回路３３には、信号処理回路３１から再生信号が供給されている。サーボ制御回路３３は、信号処理回路３１からの再生信号に基づいてディスク１３の回転情報を検知するとともに、ピックアップ２４の位置情報を検知する。サーボ制御回路３３は、検知した回転情報に基づいてディスク１３の回転が所定の回転となるように回転制御信号を生成する。サーボ制御回路３３で生成された回転制御信号は、ドライバ３５に供給される。ドライバ３５は、回転制御信号に応じた回転駆動信号を生成してスピンドルモータ２３に供給する。スピンドルモータ２３は、ドライバ３５からの回転駆動信号に基づいて回転する。
【００２４】
また、サーボ制御回路３３は、検知した位置情報に基づいてピックアップ２４から出力されるビームがディスク１３上の所望の位置をトレースするような位置制御信号を生成してドライバ３６に供給する。ドライバ３６は、位置制御信号に応じた駆動信号を生成してアクチュエータ２５に供給する。アクチュエータ２５は、ドライバ３６からの駆動信号に応じて駆動されてピックアップ２４の位置を制御する。
【００２５】
また、サーボ制御回路３３は、マイコン３４からの指示に応じてアクチュエータ２５の駆動可能とされおり、イジェクト時にはマイコン３４からの指示に応じてアクチュエータ２５を駆動する。
【００２６】
マイコン３４は、インタフェース回路３２からコンピュータ本体からのコマンドを受信可能とされており、装置全体の動作を制御している。また、マイコン３４には、イジェクトボタン２７からイジェクト指示が供給される。マイコン３４は、イジェクトボタン２７の操作によりイジェクト指示が行われると、アクチュエータ２５を制御して、ピックアップ２４を最内周に移動させ、その後、ピックアップ２４を低速でわずかに外周に移動させた後、最外周まで移動させる。このとき、マイコン３４は、ピックアップ２４を最内周から外周側に移動させるとき、アクチュエータ２５に低い電圧を印加してピックアップ２４を僅かに外周方向に駆動した後、ピックアップ２４を外周方向に駆動する。次にマイコン３４は、ピックアップ２４を再び内周側に移動させる。
【００２７】
ここで、マイコン３４のイジェクト処理について詳細に説明する。
【００２８】
図３はイジェクト処理のフローチャート、図４乃至図９はイジェクト時の動作説明図を示す。
【００２９】
マイコン３４は、ステップＳ１−１でイジェクトボタン２７が操作されると、ステップＳ１−２でアクチュエータ２５を制御して、ピックアップ２４を最内周に移動させる。ピックアップ２４は、例えば、図４に示す最内周と最外周との中間地点から図５に示す最内周に移動する。ピックアップ２４が最内周に位置したことは、図示しない位置センサなどにより検知され、マイコン３４に通知される。
【００３０】
次にマイコン３４は、ステップＳ１−３でアクチュエータ２５に低い電圧を印加して、図６に示すようにピックアップ２４を低速で外周方向、矢印Ａ２方向に移動させる。
【００３１】
マイコン３４は、ステップＳ１−４で図７に示すようにピックアップ２４が最外周に移動すると、ステップＳ１−５でアクチュエータ２５を駆動してピックアップ２４を内周側に移動させる。ピックアップ２４が最外周に位置したことは、図示しない位置センサなどにより検知され、マイコン３４に通知される。このとき、ピックアップ２４は、イジェクト機構２６と係合する。
【００３２】
マイコン３４は、ステップＳ１−６でピックアップ２４が最内周に位置するまでアクチュエータ２５を駆動するように指示を行う。ピックアップ２４が僅かに内周側に移動すると、イジェクト機構２６が駆動されて、ディスクトレイ部１１と装置本体１２とのロックが解除される。ディスクトレイ部１１と装置本体１２とのロックが解除されると、ディスクトレイ部１１と装置本体１２との間に働くバネ力によって図８に示すようにディスクトレイ部１１が装置本体１２から僅かに外側、矢印Ｂ１方向に延出する。
【００３３】
ディスクトレイ部１１は、装置本体１２から矢印Ｂ１方向に延出した状態では、ロックが解除されているので、図９に示すようにディスク１３をディスクトレイ２１に載置可能な状態までスライド可能となる。この状態では、ピックアップ２４は、最内周に位置する。このように、ピックアップ２４を開放した状態で、最内周に位置させることにより、ピックアップ２４を保護することができる。
【００３４】
図９に示す状態でディスク１３がディスクトレイ２１に載置可能となる。ディスク１３をディスクトレイ２１に載置した後、ディスクトレイ部１１を矢印Ｂ２方向にスライドさせ、ディスクトレイ部１１をバネ力に抗して装置本体１２に完全に収納すると、ディスクトレイ部１１と装置本体１２とがロックされる。これによって、ディスクトレイ部１１が装置本体１２に保持される。
【００３５】
本実施例によれば、ピックアップ２４の動作を利用してイジェクト動作を行うことができるため、イジェクト専用アクチュエータやそのドライブ回路などを削減でき、よって、小型化、薄型化が可能となる。また、装置を安価に構成することができる。
【００３６】
また、イジェクト時に最初にピックアップを最内周に移動させ、その後、低速で最外周に移動させることにより、アクチュエータ２５を両方向に回転させることができるため、アクチュエータ２５の減速機構をスムーズに動作させることができる。
【００３７】
【発明の効果】
上述の如く、本発明によれば、ピックアップをイジェクト機構に係合させて、移動させることにより、ピックアップのアクチュエータ及び駆動機構をイジェクト機構と兼用できるため、イジェクト専用のアクチュエータやそのドライブ回路を削減でき、よって、小型化、薄型化が可能となる。
【００３８】
また、イジェクト時に最初にピックアップを最内周に移動させ、その後、低速で最外周に移動させることにより、アクチュエータを反転駆動させることができるため、減速機構をスムーズな動作が可能となる。
【図面の簡単な説明】
【図１】本発明の一実施例の斜視図である。
【図２】本発明の一実施例のブロック構成図である。
【図３】イジェクト処理のフローチャートである。
【図４】イジェクト時の動作説明図である。
【図５】イジェクト時の動作説明図である。
【図６】イジェクト時の動作説明図である。
【図７】イジェクト時の動作説明図である。
【図８】イジェクト時の動作説明図である。
【図９】イジェクト時の動作説明図である。
【符号の説明】
１　ディスク装置
１１　ディスク、１１　ディスクトレイ部　１２　装置本体　１３　ディスク
１４　制御回路基板
２１　ディスクトレイ　２２　ターンテーブル、２３　スピンドルモータ
２４　ピックアップ、２５　アクチュエータ、２６　イジェクト機構
２７　イジェクトボタン、２８　ヘッドアンプ
３１　信号処理回路、３２　インタフェース回路、３３　サーボ制御回路
３４　マイコン、３５〜３７　ドライバ
【図１】
2004127365.tif 000003
【図２】
2004127365.tif 000004
【図３】
2004127365.tif 000005
【図４】
2004127365.tif 000006
【図５】
2004127365.tif 000007
【図６】
2004127365.tif 000008
【図７】
2004127365.tif 000009
【図８】
2004127365.tif 000010
【図９】
2004127365.tif 000011